(57)【要約】【課題】検知エリア５０内で、携帯機１０が送信機２０から送信されるリクエスト信号の受信の機会を向上すること。【解決手段】車両側には、送信機２０が設けられ、コンピュータ４０からの制御信号に従ってリクエスト信号を送信する。このコンピュータ４０からの制御信号には、リクエスト信号の送信間隔を変更する指示や、リクエスト信号の出力レベルを変更する指示が含まれている。送信機２０は、この制御信号の指示に基づく送信間隔、及び出力レベルでリクエスト信号を送信する。これにより、検知エリア５０内で、携帯機１０が送信機２０から送信されるリクエスト信号の受信の機会を向上することができる。【選択図】              図１
2005325540.tif 000002
【特許請求の範囲】
【請求項１】
車両の各ドアに設けられ、携帯機に対してリクエスト信号を送信する送信機と、
当該送信機から送信されたリクエスト信号に応答して、携帯機からＩＤコードを含む応答信号が返送されたとき、その応答信号を受信する受信機と、
前記送信機に対して、リクエスト信号の送信を指示するとともに、前記受信機によって受信された前記応答信号に含まれるＩＤコードが、予め登録されたＩＤコードと所定の関係を有する場合に、車両の各ドアの施錠・開錠状態を制御する制御部を備える車両ドア遠隔制御装置において、
前記制御部は、前記送信機から送信される前記リクエスト信号の出力レベルを変更することを特徴とする車両ドア遠隔制御装置。
【請求項２】
前記制御部は、リクエスト信号の出力から所定時間内に、前記受信機が前記携帯機からのＩＤコードを含む応答信号を受信しない場合、前記リクエスト信号の出力レベルを上昇させることを特徴とする請求項１に記載の車両ドア遠隔制御装置。
【請求項３】
電波の混信度を検出する混信度検出手段を備え、
前記制御部は、前記検出された混信度が第１の所定値を超える場合、前記リクエスト信号の出力レベルを上昇させることを特徴とする請求項１または請求項２に記載の車両ドア遠隔制御装置。
【請求項４】
前記制御部は、手動にて、前記リクエスト信号の出力レベルを調節可能な調節手段を備え、
当該調節手段によって調節した出力レベルにてリクエスト信号を出力させることを特徴とする請求項１乃至請求項３のいずれかに記載の車両ドア遠隔制御装置。
【請求項５】
前記制御部は、前記リクエスト信号の出力レベルの上昇にともなって、前記リクエスト信号の送信間隔を伸ばすことを特徴とする請求項１乃至請求項４のいずれかに記載の車両ドア遠隔制御装置。
【請求項６】
前記リクエスト信号は、前記送信機から繰り返し出力され、前記制御部は、前記リクエスト信号の出力レベルを上昇させる時、その上昇させた出力レベルと同等以上に、他のリクエスト信号の出力レベルを下降させることを特徴とする請求項１乃至請求項４のいずれかに記載の車両ドア遠隔制御装置。
【請求項７】
前記制御部は、前記検出された混信度が第２の所定値以下の場合、前記リクエスト信号の出力レベルを下降させることを特徴とする請求項３に記載の車両ドア遠隔制御装置。
【請求項８】
前記制御部は、所定の出力レベルで複数のリクエスト信号を送信させる第１の送信パターンと、第１の送信パターンにおけるリクエスト信号に対して、出力レベルを上昇させた複数のリクエスト信号を送信させる第２の送信パターンとを切り換えることにより、前記リクエスト信号の出力レベルを変更することを特徴とする請求項１に記載の車両ドア遠隔制御装置。
【請求項９】
前記第２の送信パターンにおけるリクエスト信号の送信間隔は、第１の送信パターンにおけるリクエスト信号の送信間隔よりも長く設定されていることを特徴とする請求項８に記載の車両ドア遠隔制御装置。
【請求項１０】
前記第２の送信パターンには、前記第１の送信パターンのリクエスト信号に対して、出力レベルを下降させた複数のリクエスト信号が含まれることを特徴とする請求項８に記載の車両ドア遠隔制御装置。
【請求項１１】
前記制御部は、前記第１の送信パターンと前記第２の送信パターンとを周期的に切り換えることを特徴とする請求項８乃至請求項１０のいずれかに記載の車両ドア遠隔制御装置。
【請求項１２】
前記リクエスト信号は、出力レベル変更情報を含み、前記携帯機は、受信した前記リクエスト信号から前記出力レベル変更情報を検出し、当該出力レベル変更情報に基づいて、前記応答信号の出力レベルを変更することを特徴とする請求項１乃至請求項１１のいずれかに記載の車両ドア遠隔制御装置。
【発明の詳細な説明】
【技術分野】
【０００１】
本発明は、車両側から送信されるリクエスト信号に応答して、携帯機から送信されるＩＤコードを含む応答信号に基づいて、車両の各ドアの施錠・開錠状態を制御する車両ドア遠隔制御装置に関する。
【背景技術】
【０００２】
従来、携帯機と車両側との双方向通信によるＩＤコードの照合結果をもとに、車両の各ドアの施錠・開錠状態を制御したり、携帯機の保持者が車室内にいる場合に、ステアリングロックの解除やエンジンの始動を許可する車両ドア遠隔制御装置が知られている。
【０００３】
すなわち、この車両ドア遠隔制御装置においては、車両の内外に所定の検知エリアを設定し、この検知エリアにおいて、送信機から所定間隔毎に、所定の出力レベルでリクエスト信号を送信する。このようにして、携帯機の保持者の車両への接近を監視する。そして、携帯機の保持者が検知エリアに侵入すると、リクエスト信号に応答して携帯機がＩＤコードを含む応答信号を受信機に送信する。このＩＤコードが予め登録されているＩＤコードに一致すると、例えば、車両側のドアロック機構が、各ドアをアンロックスタンバイ状態する。この状態となった時に、携帯機の保持者がドアハンドルに触れると、それをタッチセンサ等で検出し、ドアをアンロックする。
【発明の開示】
【発明が解決しようとする課題】
【０００４】
従来の車両ドア遠隔制御装置は、上述したように送信機から所定の出力レベルでリクエスト信号を送信する。このとき、例えば、電波環境の悪い場所において、送信機から所定の出力レベルでリクエスト信号を送信すると、上述した検知エリア内であっても携帯機が送信されたリクエスト信号を受信することができない場合もある。この場合、携帯機がリクエスト信号を受信することができないので、携帯機は受信機にＩＤコードを含む応答信号を送信することが不可能である。この結果、ＩＤコードの照合を行うことができない。すなわち、車両の各ドアの施錠・開錠を行うことが不可能なため、当該装置の利便性が損なわれる。
【０００５】
本発明は、上述した点に鑑みてなされたもので、検知エリア内で、携帯機が送信機から送信されるリクエスト信号の受信の機会を向上することが可能な車両ドア遠隔制御装置を提供することを目的とする。
【課題を解決するための手段】
【０００６】
上記目的を達成するために、請求項１に記載の車両ドア遠隔制御装置は、
車両の各ドアに設けられ、携帯機に対してリクエスト信号を送信する送信機と、
送信機から送信されたリクエスト信号に応答して、携帯機からＩＤコードを含む応答信号が返送されたとき、その応答信号を受信する受信機と、
送信機に対して、リクエスト信号の送信を指示するとともに、受信機によって受信された応答信号に含まれるＩＤコードが、予め登録されたＩＤコードと所定の関係を有する場合に、車両の各ドアの施錠・開錠状態を制御する制御部を備える車両ドア遠隔制御装置において、
制御部は、送信機から送信されるリクエスト信号の出力レベルを変更することを特徴とする。
【０００７】
上述したように、請求項１に記載の車両ドア遠隔制御装置では、送信機から送信されるリクエスト信号の出力レベルを変更することができる。検知エリア内で携帯機がリクエスト信号を受信できない場合などに、リクエスト信号の出力レベルを変更することによって、携帯機がリクエスト信号の受信の機会を向上することができる。
【０００８】
請求項２に記載したように、制御部は、リクエスト信号の出力から所定時間内に、受信機が携帯機からのＩＤコードを含む応答信号を受信しない場合、リクエスト信号の出力レベルを上昇させることが好ましい。リクエスト信号の出力から所定時間内に、受信機が携帯機からのＩＤコードを含む応答信号を受信しない場合、検知エリア内に、携帯機が存在しているが、携帯機までにリクエスト信号が届いていないと考えることもできる。この場合、携帯機にリクエスト信号を受信させるために、制御部は、リクエスト信号の出力レベルを上昇させる。
【０００９】
請求項３に記載したように、電波の混信度を検出する混信度検出手段を備え、制御部は、検出された混信度が第1の所定値を超える場合、リクエスト信号の出力レベルを上昇さても良い。混信度が第1の所定値を超えた場合、携帯機がリクエスト信号を受信することが困難であると考えることができる。制御部は、携帯機によるリクエスト信号の受信の機会を向上するために、リクエスト信号の出力レベルを上昇させる。
【００１０】
請求項４に記載したように、制御部は、手動にて、リクエスト信号の出力レベルを調節可能な調節手段を備え、調節手段によって調節した出力レベルにてリクエスト信号を出力させても良い。これにより、ユーザが所望する出力レベルで、送信機からリクエスト信号を送信できる。
【００１１】
請求項５に記載したように、制御部は、リクエスト信号の出力レベルの上昇にともなって、リクエスト信号の送信間隔を伸ばすことが好ましい。これにより、リクエスト信号の出力レベルを上昇させることによって、停車時の消費電流が増加することを防止できるとともに、停車時の消費電流を通常時と同等以下に低減することができる。
【００１２】
請求項６に記載したように、リクエスト信号は、送信機から繰り返し出力され、制御部は、リクエスト信号の出力レベルを上昇させる時、その上昇させた出力レベルと同等以上に、他のリクエスト信号の出力レベルを下降させても良い。単にリクエスト信号の出力レベルを上昇させただけでは、停車時の消費電流が増加する。消費電流の増加を防止するために、制御部は上昇させた出力レベルと同等以上に、他のリクエスト信号の出力レベルを下降させる。この結果、停車時の消費電流が通常時と同等以下に低減される。
【００１３】
請求項７に記載したように、検出された混信度が第２の所定値以下の場合、リクエスト信号の出力レベルを下降させても良い。混信度が第２の所定値以下の場合、リクエスト信号の出力レベルが通常レベルよりも小さくても、携帯機がリクエスト信号を受信可能であると考えることができる。携帯機がリクエスト信号を受信可能な範囲内で、制御部はリクエスト信号の出力レベルを低減させる。これにより、停車時の消費電流を低減することができる。
【００１４】
請求項８に記載したように、制御部は、所定の出力レベルで複数のリクエスト信号を送信させる第１の送信パターンと、第１の送信パターンにおけるリクエスト信号に対して、出力レベルを上昇させた複数のリクエスト信号を送信させる第２の送信パターンとを切り換えることにより、リクエスト信号の出力レベルを変更しても良い。第１の送信パターンで複数のリクエスト信号を送信したときに、携帯機から応答信号が返ってこなかった場合、電波環境が悪くて携帯機がリクエスト信号を受信できないことが考えられる。このとき、第２の送信パターンで複数のリクエスト信号を送信することによって、携帯機がリクエスト信号を受信できる機会を向上できる。
【００１５】
請求項９に記載したように、第２の送信パターンにおけるリクエスト信号の送信間隔は、第１の送信パターンにおけるリクエスト信号の送信間隔よりも長く設定されることが好ましい。第２の送信パターンでは、リクエスト信号の出力レベルを上昇させるので、停車時の消費電流が増加する。この消費電流の増加を防止するために、リクエスト信号の送信間隔を第１の送信パターンにおけるリクエスト信号の送信間隔より長くする。これにより、停車時の消費電流を第１の送信パターンの送信時と同等以下に低減することができる。
【００１６】
請求項１０に記載したように、第２の送信パターンには、第１の送信パターンのリクエスト信号に対して、出力レベルを下降させた複数のリクエスト信号が含まれることが好ましい。これにより、第２の送信パターンの送信時の消費電流を第１の送信パターンの送信時と同等以下に低減することができる。
【００１７】
請求項１１に記載したように、制御部は、第１の送信パターンと第２の送信パターンとを周期的に切り換えても良い。上述したように、第２の送信パターンは、第１の送信パターンにおける送信間隔よりも長くなるように送信間隔が設定されているか、出力レベルの低いリクエスト信号を含む。この出力レベルの低いリクエスト信号が、携帯機との通信に寄与する機会は少ないので、この場合、実質的に送信間隔が長く設定されることと同じ結果となる。このように、第１の送信パターンにおけるリクエスト信号の送信間隔は、第２の送信パターンにおけるリクエスト信号の送信間隔より短いため、第１の送信パターンは、第２の送信パターンに対して応答性が高いという長所がある。一方、第２の送信パターンにおけるリクエスト信号の出力レベルは、第１の送信パターンにおけるリクエスト信号の出力レベルより高いため、第２の送信パターンは、第１の送信パターンに対して携帯機によるリクエスト信号の受信の機会を向上するという長所がある。第１の送信パターンと第２の送信パターンとを周期的に切り換えることによって、これら２つの長所を備えることができる。
【００１８】
請求項１２に記載したように、リクエスト信号は、出力レベル変更情報を含み、携帯機は、受信したリクエスト信号から出力レベル変更情報を検出し、出力レベル変更情報に基づいて、応答信号の出力レベルを変更することもできる。リクエスト信号の出力レベルが変更されたとき、応答信号の出力レベルも同様に変更することによって、受信機が応答信号を受信しやすくなる。
【発明を実施するための最良の形態】
【００１９】
（第１実施形態）
以下、本発明の好ましい実施形態について図面を参照して説明する。図１は、本実施形態による車両ドア遠隔制御装置の概略構成を示すブロック図である。以下、本実施形態による車両ドア遠隔制御装置について詳細に説明する。
【００２０】
図１に示すように、車両ドア遠隔制御装置２００は、コンピュータ４０を中心に構成されている。このコンピュータ４０は、本実施形態によるリクエスト信号の出力レベル変更制御を実行するための各種の演算処理を実行するＣＰＵ、その演算処理を実行するためのプログラム等が記憶されたＲＯＭ、演算処理に必要な情報を一時記憶するＲＡＭ等からなる周知の構成を有している。
【００２１】
また、図１に示すように、コンピュータ４０には、リクエスト信号を送信する送信機２０、及び携帯機１０から返送される所定のＩＤコードを含む応答信号を受信する受信機３０が接続されている。送信機２０は、コンピュータ４０からの制御信号に従ってリクエスト信号の送信を行う。このコンピュータ４０からの制御信号には、リクエスト信号の送信間隔を変更する指示や、リクエスト信号の出力レベルを変更する指示が含まれている。送信機２０は、この制御信号の指示に基づく送信間隔、及び出力レベルでリクエスト信号を送信する。例えば、送信機２０が第１の出力レベルでリクエスト信号を送信しているときに、上述した検知エリア５０内に携帯機１０がいる場合であっても、携帯機１０がリクエスト信号を受信できないことがある。このとき、送信機２０から送信されるリクエスト信号の出力レベルを上昇させることによって、この検知エリア５０内で、携帯機１０が、送信機２０からのリクエスト信号の受信の機会を向上することができる。また、本実施形態では、所定の送信間隔で所定の個数のリクエスト信号を送信することを送信パターンとよぶ。
【００２２】
上述したリクエスト信号を作成するには、まず、変調信号回路（図示せず）が、コンピュータ４０からの指示に基づいてリクエスト信号を表す変調信号を発生する。この変調信号は、パルス幅変調されたパルス信号からなり、リクエスト信号を示すコード信号をＨｉレベル信号とＬｏレベル信号との組合せによって作成したものである。この変調信号には、車両１００に予め登録されているＩＤコードが含まれている。このパルス幅変調されたパルス信号と、所定周期で発振する搬送波としての発振信号とをアンドゲート（図示せず）で合成することにより、リクエスト信号が作成される。
【００２３】
携帯機１０は、送信機２０からのリクエスト信号を受信し、このリクエスト信号に応答して、所定のＩＤコードを含む応答信号を出力する送受信回路を備えている。従って、携帯機１０が、検知エリア５０内に入ってリクエスト信号を受信したとき、ＩＤコードを含む応答信号を送信する。
【００２４】
携帯機１０から送信されたＩＤコードを含む応答信号は、車両１００に設けられた受信機３０によって受信される。その受信したＩＤコードを含む応答信号は、コンピュータ４０に出力され、コンピュータ４０にて、予め登録されているＩＤコードと一致したか否かを判別する。このとき、ＩＤコードが一致したと判別されると、ドアロック機構６０やトランクロック機構９０をアンロックスタンバイ状態にする。そして、ドアハンドルに設けられたタッチスイッチによってドアハンドルの操作の開始が検出されると、ドアやトランクをアンロック状態にする。
【００２５】
また、ドアを開閉して携帯機１０の保持者が乗車すると、車室内に設けられた送信機２０及び受信機３０を用いて携帯機１０との間で双方向通信を行い、再度ＩＤコードの照合を行なう。このとき、ＩＤコードの照合の結果が「一致」であると、コンピュータ４０は、ステアリングロック機構７０をアンロックスタンバイ状態にする。この状態で、予め車両に設けられているエンジンスイッチ（図示せず）が操作されると、コンピュータ４０は、ステアリングロック機構７０をアンロックするとともに、エンジン制御装置８０に対してエンジンの始動禁止を解除するように指示信号を出力する。
【００２６】
このようにして、携帯機１０の保持者は、携帯機１０を手に取ることなく、ドアのアンロックによる乗車からエンジンの始動までを行なうことができる。
【００２７】
一方、車両１００が停車し、エンジンスイッチがオフされた後に携帯機１０の保持者が降車し、ドアハンドルに設けられたドアロックスイッチを操作すると、車両の各ドアがロックされる。このドアロックと同時に、エンジン制御装置８０によってエンジンが始動禁止状態に設定される。
【００２８】
次に、上述した本実施形態の車両ドア遠隔制御装置におけるリクエスト信号の出力レベル制御処理について、図５のフローチャートに基づいてより具体的に説明する。
【００２９】
まず、図５のステップＳ１０では、第１の送信パターンに従って、複数のリクエスト信号が送信される。具体的には、例えば、第１の送信パターンは図２に示すように、第１の出力レベル、及び第１の送信間隔で複数のリクエスト信号を含む。
【００３０】
ステップＳ２０では、携帯機１０からの第１の送信パターンに従って送信されたリクエスト信号に対してＩＤコードを含む応答信号を、受信機３０が受信したか否かを判定する。応答信号を受信しなかったと判定された場合、ステップＳ３０に進む。ステップＳ３０では、第２の送信パターンに従って、複数のリクエスト信号が送信される。第２の送信パターンについては、後に詳しく説明する。
【００３１】
第１の送信パターンで複数のリクエスト信号を送信したときに、携帯機１０から応答信号が返ってこなかった場合、電波環境が悪くて携帯機１０がリクエスト信号を受信できないことが考えられる。このとき、第２の送信パターンで複数のリクエスト信号を送信することによって、携帯機１０がリクエスト信号を受信できる機会を向上できる。
【００３２】
ここで、第２の送信パターンについて説明する。例えば、第２の送信パターンは図３に示すように、第２の送信パターンにおけるリクエスト信号の第２の送信間隔は、第１の送信パターン（図２）におけるリクエスト信号の第１の送信間隔よりも長く設定されている。第２の送信パターンでは、リクエスト信号の出力レベルを第１の出力レベルよりも高い第２の出力レベルまで上昇させるので、第１の送信パターンと同じ送信間隔であると、停車時の消費電流が増加する。この消費電流の増加を防止するために、リクエスト信号の送信間隔を第１の送信パターンにおけるリクエスト信号の第１の送信間隔より長くする。これにより、停車時の消費電流を第１の送信パターンの送信時と同等以下に低減することができる。
【００３３】
ここで、第１の送信パターンと第２の送信パターンとのそれぞれの長所について説明する。第１の送信パターンにおけるリクエスト信号の第１の送信間隔は、第２の送信パターンにおけるリクエスト信号の第２の送信間隔より短いため、第１の送信パターンは、第２の送信パターンに対して応答性が高いという長所がある。
【００３４】
第２の送信パターンにおけるリクエスト信号の第２の出力レベルは、第１の送信パターンにおけるリクエスト信号の第１の出力レベルより高いため、第２の送信パターンは、電波環境が悪い場合に、第１の送信パターンに対して携帯機１０によるリクエスト信号の受信の機会を向上するという長所がある。
【００３５】
一方、ステップＳ２０において、応答信号を受信したと判定された場合、ステップＳ４０に進む。ステップＳ４０では、携帯機１０の保持者が乗車したか否かを判定する。具体的には、例えば、車室内に設けられた送信機２０及び受信機３０を用いて携帯機１０との間で双方向通信を行い、再度ＩＤコードの照合が行われているか否かを判定する。乗車しなかったと判定された場合、ステップＳ１０に戻る。一方、乗車したと判定された場合、処理が終了され、車両の周囲に向けてのリクエスト信号の送信が停止される。
【００３６】
以上、説明したように本実施形態によれば、第１の送信パターンと第２の送信パターンとを切り換えるようにした。第１の送信パターンで複数のリクエスト信号を送信したときに、携帯機１０から応答信号が返ってこなかった場合、電波環境が悪くて携帯機１０がリクエスト信号を受信できないことが考えられる。このとき、第２の送信パターンで複数のリクエスト信号を送信することによって、携帯機１０がリクエスト信号を受信できる機会を向上できる。
【００３７】
（変形例）
上述した第１実施形態においては、第１の送信パターンに従って、複数のリクエスト信号を送信する例を説明した。しかしながら、第１の送信パターンとして、１つのリクエスト信号を送信しても良い。このとき、リクエスト信号の出力から所定時間内に、受信機３０が携帯機１０からのＩＤコードを含む応答信号を受信しない場合、検知エリア５０内に、携帯機１０が存在しているが、携帯機１０までにリクエスト信号が届いていないと考えることもできる。この場合、携帯機１０にリクエスト信号を受信させるために、コンピュータ４０は、リクエスト信号の出力レベルを上昇させる。
【００３８】
この場合、コンピュータ４０は、リクエスト信号の出力レベルの上昇にともなって、リクエスト信号の送信間隔を伸ばしても良い。これにより、リクエスト信号の出力レベルを上昇させることによって、停車時の消費電流が増加することを防止できるとともに、停車時の消費電流を通常時と同等以下に低減することができる。
【００３９】
また、上記実施形態では、リクエスト信号の出力レベルを上昇させた時に、送信間隔を伸ばす例について説明した。しかしながら、リクエスト信号は、送信機２０から繰り返し出力され、コンピュータ４０は、リクエスト信号の出力レベルを上昇させる時、その上昇させた出力レベルと同等以上に、他のリクエスト信号の出力レベルを下降させることもできる（図４参照）。つまり、消費電流の増加を防止するために、コンピュータ４０は上昇させた出力レベルと同等以上に、他のリクエスト信号の出力レベルを下降させる。この結果、停車時の消費電流が通常時と同等以下に低減されることができる。なお、出力レベルを下降させたリクエスト信号が携帯機との通信に寄与できる確率は小さく、実質的には、送信間隔を伸ばすことと同じ結果となる。
【００４０】
（第２実施形態）
次に、本発明の第２実施形態について説明する。本実施形態による車両ドア遠隔制御装置は、上述した第１実施形態による車両ドア遠隔制御装置２００と同様の構成を有する。従って、この構成に関する説明は省略する。
【００４１】
第２実施形態による車両ドア遠隔制御装置は、第１実施形態と異なり、車両周辺の電波ノイズレベルを検出し、このノイズレベルから推定される混信度に基づき、コンピュータ４０は、送信機２０から送信されるリクエスト信号の出力レベルを変更する。
【００４２】
以下、第２実施形態におけるリクエスト信号の出力レベル制御処理を図６のフローチャートに基づいて具体的に説明する。まず、ステップＳ１１０では、第１の送信パターンに従って、複数のリクエスト信号が送信される。ステップＳ１２０では、ノイズが検出される。具体的には、例えば、送信機２０がリクエスト信号を送信後、所定時間内に、受信機３０が受信した信号のパターンが、応答信号のパターンと異なるならば、この受信した信号がノイズとみなされる。
【００４３】
ステップＳ１３０では、ステップＳ１２０にて検出されたノイズのノイズレベルが第１の所定値を超えるか否かを判定する。具体的には、例えば、所定時間内に検出されたノイズのノイズレベルが、第１の所定値を超えたか否かを判定する。ノイズレベルが第１の所定値を超えた場合、ノイズとリクエスト信号との混信度が「大」であるとする。混信度が「大」の場合、携帯機１０はリクエスト信号を受信することが困難になる。
【００４４】
ステップＳ１３０において、ノイズレベルが第１の所定値を超えると判定された場合、すなわち、混信度が「大」である場合、ステップＳ１４０に進む。ステップＳ１４０では、第２の送信パターンに従って、複数のリクエスト信号が送信される。
【００４５】
混信度が「大」である場合、携帯機１０が第１の送信パターンによるリクエスト信号を受信することが困難であると考えることができる。このため、コンピュータ４０は、携帯機１０によるリクエスト信号の受信の機会を向上するために、リクエスト信号の出力レベルを上昇させる。
【００４６】
一方、ステップＳ１３０において、第１の所定値を超えないと判定された場合、すなわち、混信度が「大」でない場合、ステップＳ１５０に進む。ステップＳ１５０では、ステップＳ１２０にて検出されたノイズのノイズレベルが第２の所定値を超えるか否かを判定する。具体的には、例えば、所定時間内に検出されたノイズのノイズレベルが、上述した第１の所定値よりも小さい第２の所定値を超えたか否かを判定する。ノイズレベルが第２の所定値を超える場合、ノイズとリクエスト信号との混信度が「中」であるとする。混信度が「中」の場合、リクエスト信号の出力レベルが第１の出力レベルで、携帯機１０はリクエスト信号を受信することができる。一方、ノイズレベルが第２の所定値を下まわる場合、ノイズとリクエスト信号との混信度が「小」であるとする。混信度が「小」の場合、リクエスト信号の出力レベルが第１の出力レベルよりも小さくても、携帯機１０がリクエスト信号を受信可能である。
【００４７】
ステップＳ１５０において、ノイズレベルが第２の所定値を下まわると判定された場合、すなわち、混信度が「小」である場合、ステップＳ１６０に進む。ステップＳ１６０では、第３の送信パターンに従って、複数のリクエスト信号が送信される。第３の送信パターン（図示せず）は、第１の送信パターンのリクエスト信号に対して、出力レベルを下降させた複数のリクエスト信号からなる。
【００４８】
すなわち、混信度が「小」の場合、リクエスト信号の出力レベルを下降させる。混信度が「小」の場合、リクエスト信号の出力レベルが第１の出力レベルよりも小さくても、携帯機１０がリクエスト信号を受信可能であると考えることができる。これにより、停車時の消費電流を低減することができる。
【００４９】
一方、ステップＳ１５０において、ノイズレベルが第２の所定値を超えると判定された場合、すなわち、混信度が「中」である場合、ステップＳ１７０に進む。ステップＳ１７０では、第１の送信パターンに従って、複数のリクエスト信号が送信される。これは、リクエスト信号の出力レベルが第１の出力レベルで、携帯機１０はリクエスト信号を受信することができるためである。
【００５０】
ステップＳ１８０では、受信機３０が応答信号を受信したか否かを判定する。受信しなかったと判定された場合、ステップＳ１２０に戻る。一方、受信したと判定された場合、ステップＳ１８０に進む。ステップＳ１９０では、携帯機１０の保持者が乗車したか否かを判定する。乗車していないと判定された場合、ステップＳ１２０に戻る。一方、乗車したと判定された場合、処理が終了される。
【００５１】
（第３実施形態）
次に、本発明の第３実施形態について説明する。第３実施形態による車両ドア遠隔制御装置は、上述した第１実施形態による車両ドア遠隔制御装置２００とほぼ同様の構成を有する。従って、この同様な構成に関する説明は省略する。
【００５２】
図７は、本実施形態による車両ドア遠隔制御装置の概略構成を示すブロック図である。第３実施形態による車両ドア遠隔制御装置２００は、図７に示すように、第１実施形態の車両ドア遠隔制御装置２００に対して、コンピュータ４０に接続されている調節ダイヤル１１０が加えられている。調節ダイヤル１１０は送信機２０から送信されるリクエスト信号の出力レベルを調節することができる。
【００５３】
具体的には、例えば、調節ダイヤル１１０は、運転席の周辺に配置されるジョグダイヤルからなり、このジョグダイヤルは、時計回りまたは反時計回りに回転する回転機能と、回転軸に設けたボタン部を所定の方向に一定の深さまで押し込む事が出来るボタン機能とを有している。ボタン部が押されることによって、リクエスト信号の出力レベルを調節可能となり、ジョグダイヤルを時計回りまたは反時計回りに回転させることによって、リクエスト信号の出力レベルを調節する。
【００５４】
このように、第３実施形態による車両ドア遠隔制御装置は、第１実施形態及び第２実施形態と異なり、手動にて、送信機２０から送信されるリクエスト信号の出力レベルを調節する。
【００５５】
このように、リクエスト信号の出力レベルを調節する手段を設けた場合、常に、調節された出力レベルにてリクエスト信号を送信しても良いし、第１及び第２の実施形態のように、第１の送信パターンから第２の送信パターンに切り換えるとき、第２の送信パターンとして、調節された出力レベルのリクエスト信号を送信するようにしても良い。
【００５６】
いずれの場合も、車両が駐車される場所の電波環境に応じた出力レベルのリクエスト信号を出力することが可能となるので、受信機によるリクエスト信号の受信頻度が増加できる。
【００５７】
なお、リクエスト信号の出力レベルが調節された場合には、基準となる出力レベル（第１の出力レベルに相当）との差分に応じて、送信間隔を変更することが好ましい。
【００５８】
以上、説明したように各実施形態によれば、送信機２０から送信されるリクエスト信号の出力レベルを変更できるようにした。このため、検知エリア５０内で、携帯機１０が送信機２０から送信されるリクエスト信号の受信の機会を向上することが可能である。
【００５９】
なお、本発明は、上述した各実施形態になんら制限されることなく、本発明の主旨を逸脱しない範囲において、種々変形して実施することが可能である。
【００６０】
例えば、上述した各実施形態においては、第１の送信パターンから第２の送信パターンへ切り換える例を説明した。しかしながら、コンピュータ４０は、第１の送信パターンと第２の送信パターンとを周期的に切り換えても良い。第２の送信パターンは、第１の送信パターンにおける第１の送信間隔よりも長くなるように第２の送信間隔が設定されている。このように、第１の送信パターンにおけるリクエスト信号の第１の送信間隔は、第２の送信パターンにおけるリクエスト信号の第２の送信間隔より短いため、第１の送信パターンは、第２の送信パターンに対して応答性が高いという長所がある。一方、第２の送信パターンにおけるリクエスト信号の第２の出力レベルは、第１の送信パターンにおけるリクエスト信号の第１の出力レベルより高いため、第２の送信パターンは、第１の送信パターンに対して携帯機１０によるリクエスト信号の受信の機会を向上するという長所がある。第１の送信パターンと第２の送信パターンとを周期的に切り換えることによって、これら２つの長所を同時に得ることができる。
【００６１】
さらに、上述した各実施形態においては、送信機２０から送信されるリクエスト信号の出力レベルのみを変更する例を説明した。しかしながら、リクエスト信号は、出力レベル変更情報を含み、携帯機１０は、受信したリクエスト信号から出力レベル変更情報を検出し、出力レベル変更情報に基づいて、応答信号の出力レベルを変更することもできる。リクエスト信号の出力レベルが変更されたとき、応答信号の出力レベルも同様に変更することによって、受信機３０が応答信号を受信しやすくなる。
【図面の簡単な説明】
【００６２】
【図１】第１実施形態における、車両ドア遠隔制御装置２００の概略構成を示すブロック図である。
【図２】第１の送信パターンで送信された複数のリクエスト信号の波形の例を示す波形図である。
【図３】第２の送信パターンで送信された複数のリクエスト信号の波形の第１の例を示す波形図である。
【図４】第２の送信パターンで送信された複数のリクエスト信号の波形の第２の例を示す波形図である。
【図５】第１実施形態における、車両ドア遠隔制御装置のリクエスト信号の出力レベル制御処理のルーチンを示すフローチャートである。
【図６】第２実施形態における、車両ドア遠隔制御装置のリクエスト信号の出力レベル制御処理のルーチンを示すフローチャートである。
【図７】第３実施形態における、車両ドア遠隔制御装置２００の概略構成を示すブロック図である。
【符号の説明】
【００６３】
１０…携帯機
２０…送信機
３０…受信機
４０…コンピュータ
５０…検知エリア
６０…ドアロック機構
７０…ステアリングロック機構
８０…エンジン制御装置
９０…トランクロック機構
１００…車両
１１０…調節ダイヤル
【図１】
2005325540.tif 000003
【図２】
2005325540.tif 000004
【図３】
2005325540.tif 000005
【図４】
2005325540.tif 000006
【図５】
2005325540.tif 000007
【図６】
2005325540.tif 000008
【図７】
2005325540.tif 000009